(57)【要約】【課題】防水板の保管場所の確保や運搬にかかる手間と時間を不要とし得るとともに、使用時において人が落ち込んだり、足を取られたりする段差が生じることのない安全な防水装置を提供する【解決手段】  左右両側部に左右方向に摺動可能な側部防水板１９，１９を左右一対に備えた主防水板６を、収納溝５内に昇降可能に配設し、該主防水板６を床面７上に立設する引き出し位置と、収納溝５内に収納される収納位置とに位置決め可能に設けるとともに、前記側部防水板１９，１９を、主防水板６の引き出し位置で、外側方へ突出して外側端面が建造物の出入口２の左右側壁面３，３に夫々当接する展開位置と、外側端が主防水板６の側端から突出しない退避位置とに変換可能に設けた。【選択図】    図１
2007197953.tif 000002
【特許請求の範囲】
【請求項１】
建造物の出入口に設置され、洪水時に該出入口からの建造物内への浸水を防止する防水装置において、
上端に開口部を備え、該開口部が前記出入口の床面と略面一となるようにして前記出入口の地中に形成される矩形状の収納溝と、
該収納溝内に昇降可能に配設され、前記開口部からの上方向への引き出し操作により係止手段を介して収納溝の上端部に係止されて床面上に立設する引き出し位置と、該引き出し位置から下動して前記収納溝内に収納される収納位置とに位置決められる主防水板と、
該主防水板の左右両側部に左右方向に沿って摺動可能に配設され、前記主防水板の引き出し位置で、外側方へ突出して外側端面が建造物の出入口の左右側壁面に夫々当接する展開位置と、外側端が主防水板の側端から突出しない退避位置とに変換される左右一対の側部防水板と、
各側部防水板を少なくともその展開位置で摺動不能にロックするロック手段と
を備えたことを特徴とする防水装置。
【請求項２】
主防水板の係止手段が、
主防水板の左右側縁の下端寄り位置から外側方に夫々突設された左右一対の係止杆と、
収納溝の左右内側壁面の上部位置に夫々配設され、下方へ拡開して前記係止杆が下方から挿入される案内溝部と、該案内溝部の上端部で側方へ延成され、かつ終端部が下方に延成されて該終端部で前記係止杆の前後移動及び下方移動を拘束する連係溝部とを備えた係止部材とからなることを特徴とする請求項１記載の防水装置。
【請求項３】
各側部防水板のロック手段が、
主防水板に設けられた被係合片部と、
一端に把持部を、かつ他端に係合部を備え、側部防水板に軸支されて該側部防水板に対して略平行に回動し、その係合部と前記被係合片部との係合状態で側部防水板を主防水板に圧接させる回動レバーとからなることを特徴とする請求項１または請求項２記載の防水装置。
【請求項４】
主防水板の前面に、引き出し位置に引き出された主防水板の前面と収納溝の前壁面との間に生じる隙間を塞ぐ前部止水パッキンが配設されていることを特徴とする請求項１乃至請求項３の何れかに記載した防水装置。
【請求項５】
各側部防水板の外側端面に、展開位置に変換された各側部防水板の外側端面と建造物の出入口の側壁面との間に生じる隙間を塞ぐ側部止水パッキンが配設されていることを特徴とする請求項１乃至請求項４の何れかに記載した防水装置。
【請求項６】
収納溝が、側部防水板を備えた主防水板を昇降可能に収納する収納筐体の側周壁によって形成されていることを特徴とする請求項１乃至請求項５の何れかに記載した防水装置。
【請求項７】
主防水板の上端部に、該主防水板の収納位置で収納溝の開口部を床面と略面一状に塞ぐ蓋板が配設されていることを特徴とする請求項１乃至請求項６の何れかに記載した防水装置。
【発明の詳細な説明】
【技術分野】
【０００１】
本発明は、建物，地下鉄，地下街等の建造物の出入口に設置して、洪水時における建造物内への浸水を防止する防水装置に関する。
【背景技術】
【０００２】
集中豪雨や高潮による洪水の発生時に、建造物の出入口からの浸水を防止する防水装置としては、建造物の出入口の左右側壁に凹溝を対向状に設け、該凹溝に両端部が上方から嵌合される防水板によって出入口を遮蔽するように構成したもの（例えば、特許文献１参照）や、建造物の出入口の床面に形成した収納溝内に防水板を起倒可能に配設し、使用時に該防水板を起立させて出入口を遮蔽する一方、不使用時には防水板を倒伏させることによって、上面が床面と同一高さとなる状態で収納溝内に収納し得るように構成したもの（例えば、特許文献２参照）が知られている。
【特許文献１】特開２００３−２７８４５８号公報（図１３）
【特許文献２】特開２００３−１２９６９３号公報
【発明の開示】
【発明が解決しようとする課題】
【０００３】
ところで、上述の従来構成において、建造物の出入口の左右側壁に設けた凹溝に防水板の両端部を嵌合させて出入口を遮蔽するようにした構成にあっては、防水板が洪水発生の虞がある非常時にしか使用されないものであるため、平常時における防水板の保管場所を別途確保する必要がある上、非常時には保管場所から運搬して使用し、さらに使用後には再度保管場所へ運搬しなければならないため、運搬に手間と時間が掛かり、その取扱い性が悪いという問題点があった。
【０００４】
一方、建造物の出入口の床面に形成した収納溝内に防水板を起倒可能に配設した構成にあっては、上記のような保管場所の確保や運搬に手間と時間が掛かるといった問題は生じない反面、使用時に防水板を起立させると、床面に形成された比較的広幅の収納溝が開口したままの状態となるため、周囲の床面と収納溝の内底面との間に段差ができ、しかも周囲の床面と収納溝とが水没した状態では、洪水時の濁った水で収納溝が視認できなくなることによって、人が収納溝に落ち込んだり、前記段差に足を取られて転倒する虞があるという問題点があった。
【０００５】
本発明は、かかる従来の問題点を解消するためになされたものであって、防水板の保管場所の確保や運搬にかかる手間と時間を不要とし得るとともに、使用時において従来のように人が落ち込んだり、足を取られたりする段差が生じることのない安全な防水装置を提供することを目的とするものである。
【課題を解決するための手段】
【０００６】
本発明は、建造物の出入口に設置され、洪水時に該出入口からの建造物内への浸水を防止する防水装置において、上端に開口部を備え、該開口部が前記出入口の床面と略面一となるようにして前記出入口の地中に形成される矩形状の収納溝と、該収納溝内に昇降可能に配設され、前記開口部からの上方向への引き出し操作により係止手段を介して収納溝の上端部に係止されて床面上に立設する引き出し位置と、該引き出し位置から下動して前記収納溝内に収納される収納位置とに位置決められる主防水板と、該主防水板の左右両側部に左右方向に沿って摺動可能に配設され、前記主防水板の引き出し位置で、外側方へ突出して外側端面が建造物の出入口の左右側壁面に夫々当接する展開位置と、外側端が主防水板の側端から突出しない退避位置とに変換される左右一対の側部防水板と、各側部防水板を少なくともその展開位置で摺動不能にロックするロック手段とを備えたことを特徴とする防水装置である。
【０００７】
ここで、前記収納溝は、所定形状に組み付けた型枠にコンクリートを打設して形成したり、或いは所定形状の金属製の筐体を地中に埋設して形成され得る。
【０００８】
上記防水装置にあって、主防水板の係止手段としては、主防水板の左右側縁の下端寄り位置から外側方に夫々突設された左右一対の係止杆と、収納溝の左右内側壁面の上部位置に夫々配設され、下方へ拡開して前記係止杆が下方から挿入される案内溝部と、該案内溝部の上端部で側方へ延成され、かつ終端部が下方に延成されて該終端部で前記係止杆の前後移動及び下方移動を拘束する連係溝部とを備えた係止部材とからなるものとする構成が提案される。
【０００９】
また、各側部防水板のロック手段としては、主防水板に設けられた被係合片部と、一端に把持部を、かつ他端に係合部を備え、側部防水板に軸支されて該側部防水板に対して略平行に回動し、その係合部と前記被係合片部との係合状態で側部防水板を主防水板に圧接させる回動レバーとからなるものとする構成が提案される。
【００１０】
さらに、主防水板の前面に、引き出し位置に引き出された主防水板の前面と収納溝の前壁面との間に生じる隙間を塞ぐ前部止水パッキンが配設されている構成が提案される。
【００１１】
また、各側部防水板の外側端面に、展開位置に変換された各側部防水板の外側端面と建造物の出入口の側壁面との間に生じる隙間を塞ぐ側部止水パッキンが配設されている構成が提案される。
【００１２】
また、収納溝が、側部防水板を備えた主防水板を昇降可能に収納する収納筐体の側周壁によって形成されている構成が提案される。
【００１３】
また、主防水板の上端部に、該主防水板の収納位置で収納溝の開口部を床面と略面一状に塞ぐ蓋板が配設されている構成が提案される。
【発明の効果】
【００１４】
本発明は、上述したように、上端に開口部を備え、該開口部が前記出入口の床面と略面一となるようにして前記出入口の地中に形成される矩形状の収納溝と、該収納溝内に昇降可能に配設され、前記開口部からの上方向への引き出し操作により係止手段を介して収納溝の上端部に係止されて床面上に立設する引き出し位置と、該引き出し位置から下動して前記収納溝内に収納される収納位置とに位置決められる主防水板と、該主防水板の左右両側部に左右方向に沿って摺動可能に配設され、前記主防水板の引き出し位置で、外側方へ突出して外側端面が建造物の出入口の左右側壁面に夫々当接する展開位置と、外側端が主防水板の側端から突出しない退避位置とに変換される左右一対の側部防水板と、各側部防水板を少なくともその展開位置で摺動不能にロックするロック手段とを備えた防水装置であるから、主防水板を収納溝から上方向に引き出して、係止手段を介して収納溝の上端部に係止して床面上に立設する引き出し位置に位置決めた後、左右一対の側部防水板を外側方への摺動操作を介して突出させて、その外側端面が建造物の出入口の左右側壁面に夫々当接する展開位置に変換し、かつロック手段で展開位置にロックすることにより、主防水板と側部防水板とによって建造物の出入口が遮蔽されて、洪水時における建造物内への浸水を防止することができる。一方、この状態から主防水板を収納位置に戻すには、ロック手段による側部防水板のロックを解除し、該側部防水板を内側方への摺動操作を介して外側端が主防水板の側端から突出しない退避位置に変換した後、係止手段による主防水板の係止を解除すると、該主防水板が自重によって下動して収納溝内に収納される収納位置に戻ることとなる。そして、このように側部防水板を備えた主防水板を昇降式としたことにより、不使用時における防水板の保管場所を別途確保する必要がなく、防水板の運搬にかかる手間と時間も不要とすることができる。また、収納溝の上端に設けられる開口部は、主防水板を上方に引き出した状態において主防水板の直下に位置しており、しかも主防水板が昇降できる程度の狭幅状の開口部とし得るので、従来のように収納溝に人が落ち込んだり、足を取られたりする段差が生じることがない。これにより、高い安全性を得ることができる。
【００１５】
ここで、上記主防水板の係止手段を、主防水板の左右側縁の下端寄り位置から外側方に夫々突設された左右一対の係止杆と、収納溝の左右内側壁面の上部位置に夫々配設され、下方へ拡開して前記係止杆が下方から挿入される案内溝部と、該案内溝部の上端部で側方へ延成され、かつ終端部が下方に延成されて該終端部で前記係止杆の前後移動及び下方移動を拘束する連係溝部とを備えた係止部材とからなるものとした構成にあっては、収納位置にある主防水板を上方に引き出して、該主防水板の左右側縁の下端寄り位置から外側方に突設されている左右一対の係止杆を、収納溝の左右内側壁面の上部位置に夫々配設されている係止部材の案内溝部に挿入し、該案内溝部の上端部で係止杆を側方に移動させた後、下方に移動させて連係溝部の終端部に位置させることにより、該終端部で前後移動及び下方移動が拘束される係止杆によって主防水板を引き出し位置に保持することができる。また、この引き出し位置にある主防水板を上方に若干引き上げて、係止杆を連係溝部の終端部から上方に移動させた後、側方に移動させて案内溝部の上端部に導くと、下方に拡開している案内溝部の下部から係止杆が脱出可能となり、主防水板を自重によって下動させると、係止杆が案内溝部から離脱して主防水板を収納溝内に収納する収納位置に戻すことができる。これにより、主防水板を引き出し位置と収納位置とに、容易に位置決めることできる。
【００１６】
また、各側部防水板のロック手段を、主防水板に設けられた被係合片部と、一端に把持部を、かつ他端に係合部を備え、側部防水板に軸支されて該側部防水板に対して略平行に回動し、その係合部と前記被係合片部との係合状態で側部防水板を主防水板に圧接させる回動レバーとからなるものとした構成にあっては、把持部を把持して回動レバーを回動させることにより、主防水板の被係合片部に対する係合部の係脱作用を介して、側部防水板のロック及びロック解除を簡単に行うことができる。
【００１７】
さらに、主防水板の前面に、引き出し位置に引き出された主防水板の前面と収納溝の前壁面との間に生じる隙間を塞ぐ前部止水パッキンが配設されている構成にあっては、主防水板の前面と収納溝の前壁面との間に生じる隙間からの水の浸入を防止することができる。
【００１８】
また、各側部防水板の外側端面に、展開位置に変換された各側部防水板の外側端面と建造物の出入口の側壁面との間に生じる隙間を塞ぐ側部止水パッキンが配設されている構成にあっては、各側部防水板の外側端面と建造物の出入口の側壁面との間に生じる隙間からの水の浸入を防止することができる。
【００１９】
また、収納溝が、側部防水板を備えた主防水板を昇降可能に収納する収納筐体の側周壁によって形成されている構成にあっては、該収納筐体に所要構成部材を予め組み付けることによって完結的な製品として製造することができ、その収納筐体を建造物の出入口の床面に埋設することにより、収納溝を容易に形成することができるとともに、防水装置の設置作業が略完了するので施工を簡単に行うことができる。
【００２０】
また、主防水板の上端部に、該主防水板の収納位置で収納溝の開口部を床面と略面一状に塞ぐ蓋板が配設されている構成にあっては、主防水板を収納位置に位置決めた状態において、収納溝の開口部を床面と略面一状に塞ぐことができ、これによって収納溝の開口部が通行の障害となることがない。
【発明を実施するための最良の形態】
【００２１】
以下に、本発明にかかる防水装置の一実施例を、図１〜図９に基づいて説明する。
防水装置１は、図１，図２に示すように、建造物の屋外に面する出入口２に設置されるものであって、該出入口２を構成する左右側壁面３，３間の地中に、該左右側壁面３，３に直交する方向に沿う狭幅状の開口部４（図５参照）を上端に備えた矩形状の収納溝５が形成されており、該収納溝５内に後述する主防水板６が昇降可能に配設されている。ここで、前記左右側壁面３，３間の床面７には、図３に示すように、比較的狭幅の開口部４を上端に備えた金属製の収納筐体８が、その開口部４を床面７と略面一となるようにして上下方向に埋設されており、この実施例では、該収納筐体８の側周壁９によって前記収納溝５が形成されている。
【００２２】
前記主防水板６は、横長矩形状の金属板からなり、その縦幅を収納筐体８の内部の高さ寸法に略一致させ、かつその横幅を収納筐体８の内部の横幅寸法より若干短く形成して収納筐体８内に収納されている。該主防水板６の上端部には、図３に示すように、収納筐体８の開口部４に内嵌可能な金属製の蓋板１０が配設されており、また、主防水板６の下端部には金属製の底部支持板１１が配設されている。そして、該底部支持板１１が収納筐体８の底板１２に当接する主防水板６の収納位置で、前記蓋板１０が収納溝５の開口部４を周囲の床面７と略面一の状態で塞ぐように設けられている。これによって、主防水板６を収納した状態において、収納溝５の開口部４が通行の障害にならないようにしている。また、蓋板１０の上面の左右両端近傍部には、図６等に示すように、主防水板６の引き出し操作用の把手１３が出没可能に配設されている。
【００２３】
また、主防水板６は、前記開口部４からの上方向への引き出し操作により、後述する係止手段を介して収納溝５の上端部に係止されて床面７上に立設する引き出し位置（図４参照）と、該引き出し位置から下動して前記収納溝５内に収納される収納位置（図３参照）とに位置決められる。主防水板６の左右側縁の下端寄り位置には、図５に示すように、左右一対の係止杆１４，１４が外側方に夫々突設されており、また、収納溝５の左右内側壁面の上部位置には左右一対の係止部材１５，１５が夫々配設されている。各係止部材１５，１５は、収納溝５を構成する収納筐体８の左右側壁の内面に、外面側から螺合されるボルト１８，１８によって固着されており、該係止部材１５，１５には、図３に示すように、下方へ拡開して前記係止杆１４が下方から挿入される案内溝部１６と、該案内溝部１６の上端部で側方へ延成され、かつ終端部が下方に延成されて該終端部で前記係止杆１４の前後移動及び下方移動を拘束する連係溝部１７とが夫々形成されている。そして、この係止部材１５，１５と前記係止杆１４，１４とにより、主防水板６を引き出し位置に保持する係止手段が構成されている。
【００２４】
主防水板６の前面側には、該主防水板６が前記係止手段によって引き出し位置に保持された状態で収納溝５の開口部４に対応する所定高さ位置に、前部止水パッキン２４が主防水板６の横幅間に亘って配設されており（図５参照）、該前部止水パッキン２４によって、図４に示すように、主防水板６の前面と収納溝５の前壁面との間に生じる隙間を塞ぐようにしている。
【００２５】
また、主防水板６の左右両側部には、左右一対の金属製の側部防水板１９，１９が主防水板６の背面に重なり合う状態で左右方向に沿って摺動可能に配設されている。該側部防水板１９，１９は、図３，図６（ａ）に示すように、主防水板６の背面側に水平状に固着された断面クランク形を呈する金属製のレール部材２０，２０と、前記蓋板１０の下向き屈曲縁２１とによって、その上下両端縁が摺動可能に支持されており、上述した主防水板６の引き出し位置で、外側方へ突出して外側端面が建造物の出入口２の左右側壁面３，３に夫々当接する展開位置（図２，図７参照）と、外側端が主防水板６の側端から突出しない退避位置（図６（ａ）参照）とに変換可能となっている。前記レール部材２０，２０は、図４に示すように、主防水板６を上述した係止手段によって引き出し位置に保持した状態で、床面７と略面一となる高さ位置に配設されており、これによって側部防水板１９，１９を外側方へ突出させて展開位置に変換すると、該側部防水板１９，１９の下端縁と床面７との間に殆ど隙間が生じないようになっている。また、側部防水板１９，１９は、図８に示すように、上下端縁を背面側に屈曲させた断面コ字形に形成されており、その外側端面に接合された帯板状の遮蔽側板２２に側部止水パッキン２３が夫々固着されている。そして、該側部止水パッキン２３によって、展開位置に変換された各側部防水板１９の外側端面と建造物の出入口２の側壁面３との間に生じる隙間を塞ぐようにしている。
【００２６】
さらに、各側部防水板１９，１９の内端下方寄り位置には、図７等に示すように、支軸２５により軸支された回動レバー２６，２６が夫々配設されている。該回動レバー２６，２６は一端に把持部２７を備え、かつ他端に係合部２８を備えており、該把持部２７を把持しての回動操作によって側部防水板１９に対して略平行に回動するようになっている。前記係合部２８の背面は、図４等に示すように、側部防水板１９から次第に離れる傾斜面２９となっており、この傾斜面２９を備えた係合部２８が回動レバー２６の回動操作に伴ってレール部材２０の立上り縁３０に係合されるようになっている。そして、該立上り縁３０に対して係合部２８が係合されると、該係合部２８の傾斜面２９によって側部防水板１９が主防水板６に圧接され、該側部防水板１９を摺動不能にロックし得るようになっている。ここで、各レール部材２０，２０の立上り縁３０，３０が主防水板６に設けられた被係合片部となっており、該被係合片部と前記回動レバー２６，２６とによって側部防水板１９，１９を夫々摺動不能にロックするロック手段が構成されている。
【００２７】
かかる構成にあって、洪水の虞のない平常時には、図１，図３に示すように、主防水板６は収納溝５内に収納されている。この状態にあっては、収納溝５の開口部４が主防水板６の上端部に設けられた蓋板１０によって周囲の床面７と略面一の状態で塞がれていることにより、該収納溝５の開口部４が通行の障害になることはない。一方、集中豪雨や高潮によって洪水が発生する虞がある場合には、主防水板６を収納溝５から上方向に引き出すことにより該主防水板６の左右側縁の下端寄り位置から外側方に突設されている左右一対の係止杆１４，１４を、図９（ａ）に示すように、収納溝５の左右内側壁面の上部位置に夫々配設されている係止部材１５，１５の案内溝部１６，１６に下方から挿入して該案内溝部１６，１６の上端部に位置させ、この状態で主防水板６を前方に移動させることによって、図９（ｂ）に示すように、連係溝部１７，１７内で係止杆１４，１４を側方に移動させた後、図４に示すように、下方に移動させて連係溝部１７，１７の終端部に夫々位置させることにより、該終端部で係止杆１４，１４の前後移動及び下方移動が拘束されることとなる。これによって主防水板６を収納溝５の上端部に係止して床面７上に立設する引き出し位置に保持することができる。
【００２８】
次いで、回動レバー２６，２６をロック解除方向に回動させてロックを外し、左右一対の側部防水板１９，１９を摺動可能な状態とした後、各側部防水板１９，１９を外側方へ夫々摺動させて主防水板６から突出させ、その外側端面が側部止水パッキン２３を介して建造物の出入口２の左右側壁面３，３に夫々当接する展開位置に変換し、かつロック手段でその展開位置にロックすることにより、図２に示すように、主防水板６と側部防水板１９，１９とによって建造物の出入口２が遮蔽されて、洪水時における建造物内への浸水を防止することができる。この時、主防水板６の前面と収納溝５の前壁面との間に生じる隙間が前部止水パッキン２４（図４参照）で塞がれており、各側部防水板１９，１９の外側端面と建造物の出入口２の側壁面３，３との間に生じる隙間が側部止水パッキン２３，２３（図７参照）で塞がれていることにより、これらの隙間からの漏水を防止することができる。また、建造物の出入口２を遮蔽している主防水板６と側部防水板１９，１９が、前面側から水圧を受けると、該主防水板６と側部防水板１９，１９には、左右一対の係止杆１４，１４を支点として主防水板６と側部防水板１９，１９を背面側（図４における左側）に回転させるモーメント力が作用することとなるが、主防水板６の下端部に配設されている底部支持板１１の前端縁が収納溝５の前壁面に当接していることにより、主防水板６と側部防水板１９，１９の回転が規制されて直立状態が保持される。
【００２９】
一方、主防水板６を引き出し位置から収納位置に戻すには、ロック手段による側部防水板１９，１９のロックを解除し、該側部防水板１９，１９を内側方への摺動操作を介して外側端が主防水板６の側端から突出しない退避位置に変換した後、主防水板６を上方に若干引き上げて、図９（ｂ）に示すように、係止杆１４，１４を連係溝部１７，１７の終端部から上方に移動させた後、図９（ａ）に示すように、側方に移動させて案内溝部１６，１６の上端部に導くと、下方に拡開している案内溝部１６，１６の下部から係止杆１４，１４が脱出可能となり、主防水板６を自重によって下動させると、係止杆１４，１４が案内溝部１６，１６から離脱して主防水板６を収納溝５内に収納する収納位置に戻すことができる。
【００３０】
このように、本発明にあっては、側部防水板１９，１９を備えた主防水板６を昇降式としたことにより、従来構成のように不使用時における防水板の保管場所を別途確保する必要がなく、防水板の運搬にかかる手間と時間も不要とすることができる。また、収納溝５の上端に設けられる開口部４は、主防水板６を上方に引き出した状態において主防水板６の直下に位置しており、しかも主防水板６が昇降できる程度の狭幅状の開口部とし得るので、従来構成のように収納溝５に人が落ち込んだり、足を取られたりする段差が生じることがない。これにより、高い安全性を得ることができる。
【００３１】
尚、上述した実施例では、収納溝５を収納筐体８の側周壁９によって形成するようにしているが、該収納溝５は、所定形状に組み付けた型枠にコンクリートを打設して形成することも可能である。
【図面の簡単な説明】
【００３２】
【図１】本発明にかかる防水装置１の施工状態における主防水板６を収納した状態を示す背面図である。
【図２】同上の施工状態において、主防水板６と側部防水板１９，１９とによって出入口２を遮蔽した状態を示す作用説明図である。
【図３】主防水板６を収納した状態を示す側断面図である。
【図４】主防水板６を床面７上に立設した状態を示す側断面図である。
【図５】主防水板６と収納筐体８とを分離した状態を示す斜視図である。
【図６】（ａ）は主防水板６を収納筐体８から引き出した状態、（ｂ）は主防水板６を収納筐体８内に収納した状態を示す部分斜視図である。
【図７】主防水板６から側部防水板１９を側方に突出させた状態を示す部分斜視図である。
【図８】側部防水板１９の外側端部分の構成を示す分解斜視図である。
【図９】主防水板６の係止手段の作用説明図である。
【符号の説明】
【００３３】
１  防水装置
２  出入口
３  側壁面
４  開口部
５  収納溝
６  主防水板
７  床面
８  収納筐体
９  側周壁
１０  蓋板
１４  係止杆（係止手段）
１５  係止部材（係止手段）
１６  案内溝部
１７  連係溝部
１９  側部防水板
２３  側部止水パッキン
２４  前部止水パッキン
２６  回動レバー
２７  把持部
２８  係合部
３０  立上り縁（被係合片部）
【図１】
2007197953.tif 000003
【図２】
2007197953.tif 000004
【図３】
2007197953.tif 000005
【図４】
2007197953.tif 000006
【図５】
2007197953.tif 000007
【図６】
2007197953.tif 000008
【図７】
2007197953.tif 000009
【図８】
2007197953.tif 000010
【図９】
2007197953.tif 000011